(57)【特許請求の範囲】
【請求項１】
表面側と裏面側とが形成され、植物に関する情報を印刷したシートを収納する透明樹脂フィルム製の袋状の表示部と、板状の面に多数の微小な凸部からなる滑り止め加工が施されて土に差し込まれる脚部と、前記袋状の表示部の上縁部に設けられた蓋と、を備えてなることを特徴とするラベル。
【請求項２】
前記表示部には、表面側および裏面側の両面または片側面に情報を表示したシートを入れてなることを特徴とする請求項１に記載のラベル。
【請求項３】
前記脚部の表面の両面または少なくとも一方の面に、多数の微小な凸部からなる滑り止め加工が施されていることを特徴とする請求項１または２に記載のラベル。
【請求項４】
前記表示部の脚部側辺における該脚部の両側に、下部に向かって突出するとともに前記脚部との間に植木鉢または育苗用ポットの上縁を挟み込むことで当該表示部の固定を安定させる爪部が、それぞれ形成されていることを特徴とする請求項１乃至請求項３のいずれかに記載のラベル
【請求項５】
前記脚部の中央における前記表示部側の位置に、植木鉢または育苗用ポットの上縁を挟み込むことで当該表示部の固定を安定させる舌片を形成するスリットが設けられていることを特徴とする請求項１乃至請求項３のいずれかに記載のラベル
【発明の詳細な説明】
【技術分野】
【０００１】
本発明は、植木鉢や育苗用ポット等の土に突き刺して設置することにより、植栽された植物の情報を表示する立札形状のラベルに関する。
【背景技術】
【０００２】
従来、野菜や花卉等の比較的小型の育苗物は、ポリエチレンまたはポリプロピレン等の軟質合成樹脂製の育苗用ポットに仮植えした状態で、運搬および展示・販売等が行われており、ポットに収容された土壌等に、植えられた苗の各情報が記載されたラベル（または表示札，表示板など）が差し込まれている（例えば、特許文献１〜２等を参照。）。
【０００３】
図３は、育苗用ポットに用いられる従来のラベルの外観斜視図である。
一般に、育苗ポット用のラベルは、全体として立札形状のものが多く、表面および裏面に植物の名前，写真と特徴，栽培方法，注意書き等を印刷した表示部（上部）１１と、土壌もしくは育苗ポット側に設けられた切れ込み（スリット）に差し込まれるくさび形状の脚部（下部）１２と、から構成されている。
【０００４】
なお、この育苗ポット用のラベルは、ポリエチレンや塩化ビニル等からなる樹脂シートや、ポリエチレン系，ポリプロピレン系などの樹脂でコーティングされた合成紙（強化紙）を、打ち抜き加工することにより形成されている。
【０００５】
また、その脚部１２には、前記育苗ポットに設けられた切れ込みからの脱落を防止する形状（係止部あるいは返し、溝、切り欠き等）が設けられている場合もある（特許文献３〜５等を参照）。
【特許文献１】実開平７−３０６３２号公報
【特許文献２】特開２００３−１３１５７３号公報
【特許文献３】特開２００２−３４３４４号公報
【特許文献４】特開２００４−４９０３２号公報
【特許文献５】特開２００５−１７６８２１号公報
【発明の開示】
【発明が解決しようとする課題】
【０００６】
ところで、以上のような育苗ポット用のラベルは、近年、植物の名前や写真だけでなく、詳しい栽培方法や農薬の使用履歴等、当該植物に関するより多くの情報を表示することが求められてきている。
【０００７】
しかしながら、ラベルの表示部を大きくして、その表裏の面積を確保するだけでは限度があり、表示部の重量が増加することに起因するラベルの脱落も懸念される。
【０００８】
また、ラベルを二重にしたり、多重に折り畳んだ構成とすることにより、その表面積を増加させる手段も考えられるが、同様に重量の増加を招くとともに、多くの品種に対応するためには、品種ごとに印刷された従来よりコスト高のラベルを用意せねばならず、それらを１つ１つ折り畳む手間も考慮すると、更なるコストアップになってしまう。
【０００９】
本発明は、上記する課題に対処するためになされたものであり、コストアップを最小限に抑えつつ、その掲載情報量を従来よりも飛躍的に高めることができ、多様な品種にも容易に対応することのできるラベルを提供することを目的としている。
【課題を解決するための手段】
【００１０】
前記の目的を達成するために、
請求項１に記載の発明は、表面側と裏面側とが形成され、植物に関する情報を印刷したシートを収納する透明樹脂フィルム製の袋状の表示部と、板状の面に多数の微小な凸部からなる滑り止め加工が施されて土に差し込まれる脚部と、前記袋状の表示部の上縁部に設けられた蓋と、を備えてなることを特徴とするラベル、であることを特徴とする。
【００１１】
本発明は、植木鉢や育苗用ポット等の土に突き刺して設置する立札形状のラベルにおいて、脚部の上部に形成される表示部を袋状とすることによって、所期の目的を達成しようとするものである。
【００１２】
すなわち、請求項１に記載の発明によれば、土に差し込まれる脚部の上部に一体に設けられる表示部を袋状とすることにより、この袋状表示部の中に、植物に関する多様な情報を印刷したシート（パンフレット，チラシ等）を収納することが可能になる。
【００１３】
従って、本発明のラベルは、植物の名前や写真だけでなく、詳しい栽培方法や農薬の使用履歴等、この植物に関するより従来よりも多くの情報を提供することができる。
【００１４】
また、植物の品種が異なる場合も、中に収納するシートを変更するだけで済み、ラベル本体の形状は１つで事足りる。従って、植物の品種ごとに個別の内容を直接印刷していた従来品に比べ、ラベルのコストアップを最小限に抑えることができる。
【００１５】
また、請求項２に記載の発明は、前記表示部には、表面側および裏面側の両面または片側面に情報を表示したシートを入れてなることを特徴とする。
【００１６】
上記袋は、前記脚部と一体に形成された表示部の表面側あるいは裏面側のどちらか一方側にのみ設けても良いが、両面側にそれぞれ設けることで、更に多種の情報を収蔵することが可能になる。
【００１７】
なお、表示部の一方側にしか袋を形成しない場合は、他方面側を印刷面としても良い。
【００１８】
また、前記脚部の表面と裏面の少なくとも一方の面には、多数の微小な凸部からなる滑り止め加工を施すことが望ましい
【００１９】
また、請求項３に記載の発明は、前記脚部の表面の両面または少なくとも一方の面に、多数の微小な凸部からなる滑り止め加工が施されていることを特徴とする。
【００２０】
この構成のように、脚部の表面と裏面の少なくとも一方の面の表面粗さを粗くすることにより、土等に差し込まれたラベルを抜け難くすることができ、表示部の位置の安定（固定）を図ることができる。また、育苗用ポット側に、ラベルの脚部を差し込む切れ込み等が設けられている場合も、この切れ込み等からの脱落を防止することができる。なお、これら多数の微小な凸部を形成する方法は、特に限定されるものではないが、転造（ローレット）加工等を用いることにより、容易に形成することができる。
【００２１】
次に、請求項４および５に記載の発明は、従来品より重量の増した表示部の位置（購買者に対する表示角度等）を安定させるためのものであり、前記表示部の脚部側辺における該脚部の両側に、下部に向かって突出するとともに前記脚部との間に植木鉢または育苗用ポットの上縁を挟み込むことで当該表示部の固定を安定させる爪部（請求項４）を形成するか、あるいは、前記脚部の中央における前記表示部側の位置に、植木鉢または育苗用ポットの上縁を挟み込むことで当該表示部の固定を安定させる舌片を形成するスリット（請求項５）を設けても良い。
【００２２】
また、請求項４に記載の発明は、求項１乃至請求項３のいずれかに記載のラベルが、前記表示部の脚部側辺における該脚部の両側に、下部に向かって突出するとともに前記脚部との間に植木鉢または育苗用ポットの上縁を挟み込むことで当該表示部の固定を安定させる爪部が、それぞれ形成されていることを特徴とする。
【００２３】
さらに、請求項５に記載の発明は、求項１乃至請求項３のいずれかに記載のラベルが、前記脚部の中央における前記表示部側の位置に、植木鉢または育苗用ポットの上縁を挟み込むことで当該表示部の固定を安定させる舌片を形成するスリットが設けられていることを特徴とする。
【００２４】
これらの構成により、運搬および展示・販売時の振動や、風等による揺動を受けた場合でも、表示部を安定して支持することが可能になり、その脱落を防止することができる。
【発明の効果】
【００２５】
以上のように、本発明のラベルによれば、コストアップを最小限に抑えつつ、その掲載情報量を従来よりも飛躍的に高めることができる。また、表示部に収容するシートを交換するだけで、他の品種への対応も容易に行うことができるようになる。
【発明を実施するための最良の形態】
【００２６】
以下、図面を参照しつつこの発明を実施するための形態について説明する。
図１は、本発明の第１実施形態における育苗ポット用ラベルの構成を示す正面図である。
【００２７】
本実施形態における育苗ポット用ラベルも、全体として立札形状であり、上部の方形の表示部１と、この表示部１から下方に突出するくさび形状の脚部２とから構成されている。なお、この脚部２には、育苗ポットに設けられた切れ込みからの脱落を防止する形状（係止部あるいは返し、溝、切り欠き等）が設けられている場合もある。
【００２８】
この実施形態における育苗ポット用ラベルの特徴は、表示部１が、植物に関する情報を印刷したパンフレットやチラシ等を収納することのできる袋状に形成されている点である。また、この表示部１の脚部側縁部１ａにおける脚部２の両側（図示左右側）には、下方に向かって突出する爪部３，３がそれぞれ形成されているとともに、その脚部２の表面および裏面（図示せず）には、転造加工により多数の微小な凸部が形成されている。
【００２９】
袋状表示部１は、不透明な樹脂シートを打ち抜くことにより脚部２と一体に成形された立札状の基板の上部（略方形部位）の表面と裏面に、透明な樹脂フィルムを配置することによって形成されており、表示部１の脚部側縁部１ａと図示左右の縁部１ｂ，１ｃとが、それぞれ基板との熱融着により密封されている。従って、この表示部１には、前記不透明な樹脂シートからなる基板を挟んで、表面側と裏面側に独立した２つの透明な袋が形成されている。
【００３０】
なお、表示部１両面（表面と裏面）の上部縁には、前記各袋の開口が形成されているとともに、表示部１の上部には、この表示部の高さより大きめ（長め）にカットされた裏面側（図示裏側）の透明樹脂フィルムの端部が、表面側上部を覆うように折り返して接着（粘着剤１ｅ）されており、この袋状表示部１の蓋部１ｄを構成している。
【００３１】
この構成により、本実施形態における育苗ポット用ラベルは、この袋状表示部１の中に、植物に関する多様な情報を印刷したシート（パンフレット，チラシ等）を、折り畳んだ状態で収納することが可能になる。従って、本発明のラベルは、植物の名前や写真だけでなく、詳しい栽培方法や農薬の使用履歴等、この植物に関するより従来よりも多くの情報を提供することができる。
【００３２】
一方、表示部１の脚部側縁部１ａにおける脚部２の両側には、この表示部１から下方に突出する爪部３，３が、前記立札状の基板と一体に、その打ち抜き加工時に成形されている。これら爪部３，３は、植木鉢または育苗ポットの土壌に脚部２を突き立てる時に、植木鉢または育苗ポットの上縁を、各爪部３と脚部２との間に挟み込むように挿入することによって、パンフレットやチラシ等により重量の増加した袋状表示部１の位置（購買者に対する表示角度等）を安定させることができる。
【００３３】
また、脚部２の表面および裏面には、転造（ローレット）加工により、その全面に多数の微小な（例えば、高さ１ｍｍ以下の）凸部が設けられており、これらの表面が粗く形成されている。これらの凸部により、ラベルは土等に差し込まれた時に抜け難く、また倒れ難く構成されている。従って、本実施形態における育苗ポット用ラベルは、前記爪部３，３によるポット上縁の挟み込み効果と相まって、運搬および展示・販売時の振動によるラベルの脱落を防止することができるとともに、風等による揺動を受けた場合でも、表示部１を安定して支持することができる。
【００３４】
次に、本発明の第２実施形態を説明する。
図２は、本発明の第２実施形態における育苗ポット用ラベルの構成を示す正面図である。
【００３５】
本実施形態における育苗ポット用ラベルも、上部の方形の表示部１と、この表示部１から下方に突出するくさび形状の脚部２とから構成されており、表示部１が、植物に関する情報を印刷したパンフレットやチラシ等を収納することのできる袋状に形成されている点、および、脚部２の表面および裏面（図示せず）に、転造加工により多数の微小な凸部が形成されている点、は第１実施形態と同様である。
【００３６】
この第２実施形態における育苗ポット用ラベルが、第１実施形態と異なる点は、下方に向かって突出する爪部（３，３）に代わり、脚部２の表示部側（図示上方）の位置に、舌片２ａを形成するスリット２ｂが設けられている点である。
【００３７】
スリット２ｂは、前記爪部（３）と同様、立札状の基板と一体に、その打ち抜き加工時に成形されたもので、植木鉢または育苗ポットの土壌に脚部２を突き立てる時に、これら植木鉢または育苗ポットの上縁を、このスリット２ｂのすき間（すなわち、脚部２本体と舌片２ａとの間）に挟み込むように挿入することによって、パンフレットやチラシ等により重量の増加した袋状表示部１の位置（購買者に対する表示角度等）を安定させることができる。
【００３８】
従って、本実施形態における育苗ポット用ラベルも、脚部２の表面および裏面の全面に形成された多数の微小な凸部の効果と相まって、運搬および展示・販売時のラベルの脱落や表示部１の傾きを防止することができる。
【００３９】
なお、これらの実施形態においては、表示部１の袋を、立札状の基板の両面（表面と裏面）に設けた構成を例示したが、本発明におけるラベルの構成は、これらに限定されるものではなく、袋を基板の一方側の面にのみ形成しても良く、基板を用いず表示部全体を１つの袋状としても良い。また、表示部の形状も、特に方形に限定されるものではなく、丸形や花型等、どのような形状としても良い。
【００４０】
また、脚部の形状も特に限定されるものではなく、従来公知の各特許文献のように、土に突き刺すことのできる形状であれば良い。例えば、脚部を略三角形状としたり、脚部の下部に、育苗用ポットに設けられた切れ込みからの脱落を防止する返し、溝、切り欠き等を設けるか、あるいは、脚部を補強する折り目などを形成しても良い。
【図面の簡単な説明】
【００４１】
【図１】本発明の第１実施形態における育苗ポット用ラベルの構成を示す図である。
【図２】本発明の第２実施形態における育苗ポット用ラベルの構成を示す図である。
【図３】育苗用ポットに用いられる従来のラベルの外観斜視図である。
【符号の説明】
【００４２】
１  （袋状）表示部
１ａ，１ｂ，１ｃ  縁部
１ｄ  蓋部
１ｅ  粘着剤
２  脚部
２ａ  舌片
２ｂ  スリット
３  爪部
１１  表示部
１２  脚部
【図１】
0004822448.tif 000002
【図２】
0004822448.tif 000003
【図３】
0004822448.tif 000004